(57)【要約】【課題】  本件発明は識別コード記憶モードが設定者の意図しないタイミングで実行されることを防ぎ、識別コードの誤記憶を抑制できるトイレ装置を提供することを目的とする。【解決手段】  洗浄水を便器へ供給する通水流路を有する洗浄装置本体と、操作信号を無線送信するリモコンと、を備えたトイレ装置であって、洗浄装置本体は、通水流路における洗浄水の通水を検知する通水検出手段と、リモコン固有の識別コードを記憶しておく記憶手段と、操作信号に記憶手段に記憶された識別コードが含まれていかを判断し、含まれている場合に操作信号に基づいて洗浄装置本体を動作させる通常動作モードを実行する制御手段と、を有し、制御手段は、通水検出手段による通水流路における洗浄水の通水を検出時に通水検出手段の信号に基づいて初期通水を判定すると共に、初期通水時に識別コード記憶モードを実行することを特徴とする。【選択図】図５
2018159198.tif 000002
【特許請求の範囲】
【請求項１】
給水源から供給された洗浄水を便器へ供給する通水流路を有する洗浄装置本体と、この洗浄装置本体を遠隔操作するために、操作信号を無線送信するリモコンと、を備えたトイレ装置であって、
前記洗浄装置本体は、前記通水流路における洗浄水の通水を検知する通水検出手段と、前記リモコンに固有の識別コードを記憶しておく記憶手段と、前記リモコンから無線送信された操作信号に前記記憶手段に記憶された識別コードが含まれているかを判断し、その結果に基づいて前記洗浄装置本体を動作させる通常動作モードを実行する制御手段と、を有しており、
前記制御手段は、前記通水検出手段による前記洗浄装置本体の通水流路における洗浄水の通水を検出時に前記通水検出手段の信号に基づいて初期通水を判定すると共に、前記初期通水の時に前記リモコンから無線送信された識別コードを前記記憶手段に記憶させる識別コード記憶モードを実行することを特徴とするトイレ装置。
【請求項２】
前記洗浄装置本体は、洗浄水を貯める貯水タンクと、この貯水タンク内の貯水水位を検出する水位検出手段とを備えており、
前記水位検出手段は、前記通水検出手段であって、前記貯水タンクの水位変化に基づいて通水を検出するものであり、
前記制御手段は、前記水位検出手段による水位変化が所定値以上であると初期通水と判定することを特徴とする請求項１記載のトイレ装置。
【請求項３】
前記洗浄装置本体は、洗浄水の通水によって発電する発電機を備えており、
前記発電機は、前記通水検出手段であって、洗浄水の通水による発電の有無によって通水を検出するものであり、
前記制御手段は、前記発電機からの発電量が所定値により小さい期間が一定期間以上継続すると初期通水であると判定することを特徴とする請求項１記載のトイレ装置。
【発明の詳細な説明】
【技術分野】
【０００１】
本発明は、本発明は、洗浄装置本体とリモコンの間で無線信号を送受信するトイレ装置に関する。
【背景技術】
【０００２】
従来から、洗浄装置本体とその洗浄装置本体の間で無線通信を行うリモコンとを備えたトイレ装置が知られている。トイレ装置とリモコンとの間の無線通信に使用される無線伝送媒体としては赤外光や電波が一般的である。このようなトイレ装置においては、操作時の姿勢の自由度が高いため利便性の高いトイレ装置を実現できる。
【０００３】
ところで、学校や会社などのパブリックスペースにおいては、このトイレ装置を設置したトイレ室を複数設けたトイレスペースを有する場合がある。この場合、各トイレ室に設置される洗浄装置本体ごとにリモコンを設置するため、あるトイレ室内に設置されたリモコンが他のトイレ室内に設置された洗浄装置本体を誤動作させる恐れがあった。そこで、このような衛生洗浄装置では、あるリモコンが特定の洗浄装置本体のみを動作させることができるように、リモコン固有の識別コードを洗浄装置本体に記憶させるペアリングと呼ばれる作業が行われていた。
【０００４】
特許文献１においては、ペアリングのために電源投入から一定時間内の着座検知によって、識別コード記憶モードを実行できるようにしていた。この特許文献１では、複雑な操作を必要とせず、また、入力手段を追加する必要もなく、洗浄装置本体の既存の機能を利用して識別コード記憶モードを実行でき、リモコン固有の識別コードを洗所装置本体に記憶させることができる。
【先行技術文献】
【特許文献】
【０００５】
【特許文献１】特開２０１１−０６９１２１号公報
【発明の概要】
【発明が解決しようとする課題】
【０００６】
しかしながら、特許文献１のように電源投入からの通常使用時に起こりえる事象によって、識別コード記憶モードを実行するように設定すると、意図しないタイミングでの識別コード記憶モードの実行が想定以上に多く発生する。例えば、トイレルームの電源を集中管理している公共施設では夜間や休日において電源オフされる場合があり、また、ホテルにおいては、客室毎にルームキーの差込と連動して電源がオンオフされる場合がある。この場合、電源オン時に使用者が洗浄装置本体に着座すると、リモコンの識別コード記憶を意図していないのに識別コード記憶モードが実行されてしまい、その状態で隣のトイレ装置からのリモコンの識別コードを記憶してしまうという、誤記憶が発生することがあった。
【０００７】
本発明は、このような従来の課題を解決するものであり、識別コード記憶モードが設定者の意図しないタイミングで実行されることを防ぎ、識別コードの誤記憶を抑制できるトイレ装置を提供することを目的とする。
【課題を解決するための手段】
【０００８】
前述した目的を達成するために、本発明は、給水源から供給された洗浄水を便器へ供給する通水流路を有する洗浄装置本体と、この洗浄装置本体を遠隔操作するために、操作信号を無線送信するリモコンと、を備えたトイレ装置であって、洗浄装置本体は、通水流路における洗浄水の通水を検知する通水検出手段と、リモコンに固有の識別コードを記憶しておく記憶手段と、リモコンから無線送信された操作信号に記憶手段に記憶された識別コードが含まれているかを判断し、その結果に基づいて洗浄装置本体を動作させる通常動作モードを実行する制御手段と、を有しており、制御手段は、通水検出手段による洗浄装置本体の通水流路における洗浄水の通水を検出時に通水検出手段の信号に基づいて初期通水を判定すると共に、初期通水時にリモコンから無線送信された識別コードを記憶手段に記憶させる識別コード記憶モードを実行することを特徴とする。
このように構成された本発明においては、洗浄装置本体に設けられている通水検出手段によって洗浄装置本体の通水流路へ初期通水されたことを検出して、識別コード記憶モードを実行することができる。
そのため、洗浄装置本体に通水して使用されている状態で電源オンオフされても識別コード記憶モードが実行されることがなく、洗浄装置本体を設置して最初に通水した初期通水時、または、設定者が洗浄装置本体の内部の洗浄水を排出した後に通水を行うことで意図時に初期通水状態とした時に識別コード記憶モードが実行されるので、設定者が意図しないタイミングで識別コード記憶モードが実行されてしまうことを防ぐことができる。
従って、識別コード記憶モードの実行のために、複雑な操作や入力手段を追加する必要がなく、かつ、識別コードの誤記憶を抑制することができる。
【０００９】
本発明において、好ましくは、洗浄装置本体は、洗浄水を貯める貯水タンクと、この貯水タンク内の貯水水位を検出する水位検出手段とを備えており、水位検出手段は、通水検出手段であって、貯水タンクの水位変化に基づいて通水を検出するものであり、制御手段は、水位検出手段による水位変化が所定値以上であると初期通水と判定することを特徴とする。
このように構成された本発明においては、貯水タンクの水位変化が所定値以上、例えば、通常使用時における所定の水位変化量以上であると初期通水であると判定することにより、通常の使用時に誤って初期通水を検出することがない。
そのため、通常使用時において、識別コードの記憶を目的とせず識別コードが誤記憶されてしまうことを防止できる。
【００１０】
本発明において、好ましくは、洗浄装置本体は、洗浄水の通水によって発電する発電機を備えており、発電機は、通水検出手段であって、洗浄水の通水による発電の有無によって通水を検出するものであり、制御手段は、発電機からの発電量が所定値により小さい期間が一定期間以上継続すると初期通水であると判定することを特徴とする。
このように構成された本発明においては、発電機からの発電量が所定値により小さい期間が一定気期間以上継続されている場合、例えば、通常使用時の発電状態とは異なるエア噛み状態で発電が継続されている場合に初期通水であると判定することにより、通常の使用時に誤って初期通水を検出することがない。
そのため、通常使用時において、識別コードの記憶を目的とせず識別コードが誤記憶されてしまうことを防止できる。
【発明の効果】
【００１１】
本発明によれば、識別コード記憶モードが設定者の意図しないタイミングで実行されることを防ぎ、識別コードの誤記憶を抑制できるトイレ装置を提供することができる。
【図面の簡単な説明】
【００１２】
【図１】本発明の第１実施形態によるトイレ装置が設置されたトイレスペースの概略構成を示す図である。
【図２】本発明の第１実施形態によるトイレ装置の斜視図である。
【図３】本発明の第１実施形態によるトイレ装置の有する洗浄装置本体の機能ブロック図である。
【図４】本発明の第１実施形態によるトイレ装置の有するリモコンの機能ブロック図である。
【図５】本発明の第１実施形態によるトイレ装置に備えられた本体制御ユニットによる識別コードを記憶する際のフローチャートである。
【図６】本発明の第２実施形態によるトイレ装置の有するリモコンの機能ブロック図である。
【図７】本発明の第２実施形態によるトイレ装置に備えられた本体制御ユニットによる識別コードを記憶する際のフローチャートである。
【発明を実施するための形態】
【００１３】
以下、添付図面を参照して、本発明の第１実施形態によるトイレ装置について説明する。なお、各図面中、同様の構成要素には同一の符号を付して詳細な説明は適宜省略する。
まず、図１乃至図４により、本発明の第１実施形態によるトイレ装置について説明を行う。
図１は、本発明の第１実施形態によるトイレ装置が設置されたトイレスペースの概略構成を示す図である。図２は、本発明の第１実施形態によるトイレ装置の斜視図である。
図３は、本発明の第１実施形態によるトイレ装置の有する洗浄装置本体の機能ブロック図である。図４は、本発明の第１実施形態によるトイレ装置の有するリモコンの機能ブロック図である。
【００１４】
図１に示すように、公共施設等のトイレルームＳには、複数のトイレ室が設けられており、各個室内にはトイレ装置１がそれぞれ設置されている。
図２乃至図４に示すように、トイレ装置１は、いわゆる洋式腰掛便器の便器２と、便器２の上方に載置された洗浄装置本体４と、トイレ室内の壁面に設けられ、洗浄装置本体４を遠隔操作可能なリモコン６と、を備えている。
【００１５】
便器２は、使用者の排泄物を受けるボウル形状のボウル部８と、一端がボウル部８の下方に接続され、他端が排水管（図示せず）に接続された排水路（図示せず）と、ボウル部８に洗浄水を導く導水路（図示せず）とを備え、ボウル部８に排泄された排泄物を導水路からの洗浄水で洗い流し、排水路から排水管に排出することができる。
洗浄装置本体４は、便器２の上面に配置された樹脂製の便座１０と、この便座１０を覆うように配置された樹脂性の便蓋１２と、便器２の後方に配置されたケーシング１４と、を備える。この便座１０と便蓋１２は、上下方向に回動自在にケーシング１４に軸支されている。また、ケーシング１４は、樹脂製の外観部材であり、便器２の上面に取り付けられたプレート部材（図示せず）と係合される係合部（図示せず）と、この係合部とプレート部材との係合を解除する着脱解除部１６とを、有し、便器２の上面に着脱自在に載置されている。
【００１６】
洗浄装置本体４は、ケーシング１４の内部に、機能ユニット１８と、洗浄装置本体４が便器２から着脱されたことを検知する着脱センサ２０と、便座１０への着座を検知する着座センサ２２と、リモコン６からの操作信号を受信する本体通信ユニット２４と、着脱センサ２０、着座センサ２２で検知した信号及び本体通信ユニット２４で受信した操作信号に基づいて、機能ユニット１８を動作させる本体制御ユニット２６と、後述するリモコン６の識別コードを記憶する本体メモリ２８と、本体制御ユニット２６の所定の動作からの経過時間を計測するタイマー３０と、を有する。なお、この洗浄装置本体４は、コンセントＯと接続されており、使用者がケーシング１４に設けられた電源スイッチ（図示せず）を押すことで電源が投入されると、コンセントＯから電力供給を受けて動作が開始される。
【００１７】
機能ユニット１８は、使用者の局部を洗浄する局部洗浄ユニット３２と、局部洗浄ユニット３２に洗浄水を供給する局部洗浄タンク３４と、便器２を洗浄する洗浄水を貯水する便器洗浄タンク３６と、便器２と便器洗浄タンク３６とを接続する通水流路３８と、便器洗浄タンク３６の洗浄水を給排水させる給排水ユニット４０と、を有する。
【００１８】
局部洗浄ユニット３２は、ノズル４２と、ノズル４２と局部洗浄タンク３４とを接続する通水流路４４と、通水流路４４を開閉する電磁弁（図示せず）と、ノズル４２を駆動させるモータ（図示せず）と、が設けられており、ケーシング１４の内部からボウル部８内に進出させたノズル４２から洗浄水を噴射し、使用者の局部を洗浄することができる。
【００１９】
局部洗浄タンク３４は、給水源（図示せず）と接続され、使用者の局部を洗浄するため洗浄水を貯水している。この局部洗浄タンク３４は、給水装置（図示せず）が駆動することで給水源から洗浄水が供給されており、所定量の洗浄水が貯水されている。また、局部洗浄タンク３４は、給水源からの洗浄水をヒーター（図示せず）で温めて貯水可能であり、局部洗浄ユニット３２に水だけでなく温水の洗浄水を供給できる。
【００２０】
便器洗浄タンク３６は、便器２を洗浄水するための所定量の洗浄水を貯水可能なタンク本体４６と、タンク本体４６の貯水水位を検知する水位検知センサ４８とを有する。
タンク本体４６は、通水流路３８と接続され、通水流路３８に洗浄水を通水させ便器２の導水路に洗浄水を供給する。なお、本実施形態において、便器洗浄タンク３６が貯水タンクである。
水位検知センサ４８は、タンク本体４６内に設けられたフロートスイッチであり、タンク本体４６内の洗浄水が所定水位になるとこのフロートスイッチがオンとなり、水位が所定値を下回るとフロートスイッチがオフの状態となる。
また、本実施形態において、水位検知センサ４８は通水検出手段であり、タンク本体４６の水位変化によって、通水流路３８における洗浄水の通水を検知することができる。
具体的には、水位検知センサ４８は、フロートスイッチがオフの状態からオンの状態になりタンク本体４６の水位変化を検知すると通水流路３８における洗浄水の通水があったと検知する。
なお、本実施形態において、タンク本体４６の水位変化とは、タンク本体４６からの排水が停止した状態からタンク本体４６の所定水位まで洗浄水が給水されるまでの水位変化のことである。
【００２１】
給排水ユニット４０は、タンク本体４６と通水流路３８を開閉する排水弁（図示せず）と、給水源からタンク本体４６に洗浄水を供給する給水流路（図示せず）と、給水流路を開閉する給水弁（図示せず）と、を有する。
給排水ユニット４０は、排水弁及び給水弁を開閉することで、洗浄水を通水流路３８に通水させ便器２に供給すると共に、タンク本体４６に給水源からの洗浄水を供給することができる。
【００２２】
着脱センサ２０は、便器２に取り付けられたプレート部材とケーシング１４の係合部との係合を検知するホールセンサであり、ホールセンサからの信号に基づいて洗浄装置本体４が便器２から着脱されたか検知することができる。
ここで、着脱センサ２０の検知状態がオンになっていると、プレート部材とケーシング１４の係合部とが係合され、洗浄装置本体４が便器２に装着された状態となっており、着脱センサ２０の検知状態がオフになっていると、ケーシング１４の係合部とプレート部材との係合が解除され、洗浄装置本体４が便器２から取り外された状態となっている。
【００２３】
着座センサ２２は、赤外線式の測距センサであり、ケーシング１４に設けられた計測窓２２ａから赤外線を照射し、便座１０に着座した使用者を検知することができる。
ここで、着座センサ２２の検知状態オンであると、使用者が便座１０に着座した状態であり、着座センサ２２の検知状態オフであると、使用者が便座１０に着座していない状態である。
【００２４】
本体通信ユニット２４は、リモコン６からの無線信号を受信する受信部５０と、無線信号を送信する送信部５２と、を有する。この本体通信ユニット２４は、リモコン６と電波を介した電波通信方式により、相互通信を行うことができる。
【００２５】
本体制御ユニット２６は、マイクロプロセッサ、インターフェイス回路及びこれらを作動させるソフトウェア等（以上、図示せず）により構成されており、機能ユニット１８、着脱センサ２０、着座センサ２２、本体通信ユニット２４、本体メモリ２８、タイマー３０、水位検知センサ４８とそれぞれ接続されている。また、本体制御ユニット２６は、コンセントＯ（図２参照）から供給される電力により作動される。
【００２６】
この本体制御ユニット２６は、本体通信ユニット２４が受信したリモコン６の操作信号に基づいて機能ユニット１８を動作させる通常動作モードと、後述するリモコン６の識別コードを本体メモリ２８に記憶する識別コード記憶モードを実行できる。
【００２７】
通常動作モードにおいて、本体制御ユニット２６は、予め本体メモリ２８に記憶されたリモコン６の識別コードが、リモコン６から送信された無線信号に含まれるかを判断し、その結果に基づいて機能ユニット１８を動作させる。そのため、隣接したトイレ室内に設置されたトイレ装置１のリモコン６から送信された操作信号で、洗浄装置本体４の機能ユニット１８が誤動作することを抑制することができる。
また、通常動作モードにおいて、本体制御ユニット２６は、着脱センサ２０の検知に基づいて、リモコン６からの操作信号を無視し、局部洗浄ユニット３２及び給排水ユニット４０の動作を禁止したり、着座センサ２２が検知した使用者の着座の有無に基づいて、給排水ユニット４０を動作させたりすることができる。
【００２８】
識別コード記憶モードにおいて、本体制御ユニット２６は、電源投入後における水位検知センサ４８からの出力状態によって給排水ユニット４０の給水流路における洗浄水の初期通水を検出すると、リモコン６から無線送信された識別コードを本体メモリ２８に記憶させる識別コード記憶モードを実行することができる。なお、本体制御ユニット２６で行われる識別コード記憶モードの詳細については後述する。
【００２９】
ここで、タンク本体４６から便器２に洗浄水の供給を行う通常使用時には、タンク本体４６から便器２に洗浄水を排水すると同時に、タンク本体４６に給水源から洗浄水の給水が行われており、排水弁が閉じられ、タンク本体４６からの排水が停止した状態において、タンク本体４６内には洗浄水が既に所定水量溜まった状態となっている。一方で、初期通水時には、タンク本体４６からの排水が停止した状態において、タンク本体４６内に洗浄水が溜まっていない空の状態からフロートスイッチがオンとなる所定水量まで給水が行われるため、通常使用時よりタンク本体４６の所定水量までの水位変化量が大きく溜まるまでの時間が長くなる。
つまり、本体制御ユニット２６は、水位検知センサ４８であるフロートスイッチのオフからオンに切り替わる時間から水位変化量を算出し、その算出した水位変化量が通常使用時における水位変化量以上であると、初期通水と判定することができる。
【００３０】
本体メモリ２８は、本体制御ユニット２６が通常動作モードから識別コード記憶モードに移行した際に、リモコン６から送信された識別コードを記憶することができる。
また、本体メモリ２８には、通常使用時の水位変化量や識別コード記憶モードで使用する所定時間Ｔ１が記憶されている。なお、所定時間Ｔ１は０分〜２０分に設定されている。
【００３１】
リモコン６は、使用者に操作される操作スイッチ５４と、リモコン６の識別コードを記憶しているリモコンメモリ５６と、洗浄装置本体４の本体通信ユニット２４と無線通信を行うリモコン通信ユニット５８と、操作スイッチ５４の操作信号に識別コードを含ませてリモコン通信ユニット５８から送信させるリモコン制御ユニット６０と、を有する。
【００３２】
操作スイッチ５４は、複数のスイッチから構成されており、使用者に各スイッチが押されるとそのスイッチに対応した操作信号が出力されるようになっている。
【００３３】
リモコンメモリ５６は、識別コードが記憶されている。この識別コードは、リモコン固有のＩＤ情報であり、リモコン６ごとにそれぞれ異なっている。
【００３４】
リモコン制御ユニット６０は、マイクロプロセッサ、インターフェイス回路及びこれらを作動させるソフトウェア等（以上、図示せず）により構成されており、操作スイッチ５４が操作されると、識別コードを含んだ無線信号をリモコン通信ユニット５８から洗浄装置本体４に送信するが、操作スイッチ５４の何れかが使用者によって長押しされると、一定間隔でリモコンメモリ５６に記憶された識別コードをリモコン通信ユニット５８から送信させることができる。
【００３５】
次に、図５を参照して、本体制御ユニットによる識別コードの記憶する際の動作について、説明を行う。図５は、本発明の第１実施形態によるトイレ装置に備えられた本体制御ユニットによる識別コードを記憶する際のフローチャートである。
【００３６】
図５に示すように、まず、ステップＳ１において、本体制御ユニット２６の電源が投入されると、通常動作モードで本体制御ユニット２６が動作を開始する。次いで、ステップＳ２の処理において、本体制御ユニット２６は、水位検知センサ４８がタンク本体４６の水位変化を検出し、通水流路３８への洗浄水の通水を検出したかを確認する。
【００３７】
ステップＳ２の処理において、水位検知センサ４８がタンク本体４６の水位変化を検知せず、通水流路３８への洗浄水の通水を検知しない場合は、本体制御ユニット２６は、水位検知センサ４８が通水流路３８への洗浄水の通水を検知するまで、ステップＳ２の処理を繰り返す。
ステップＳ２の処理において、水位検知センサ４８が通水流路３８への洗浄水の通水を検知すると、本体制御ユニット２６は、ステップＳ３の処理に進み、水位検知センサ４８が検知したタンク本体４６の水位変化量が本体メモリ２８に記憶された通常使用時におけるタンク本体４６の水位変化量以上（所定値以上）であるかを確認する。
【００３８】
ステップＳ３の処理において、タンク本体４６の水位変化量が通常使用時におけるタンク本体４６の水位変化量以上であると、本体制御ユニット２６は、ステップＳ４の処理に進み、検知した通水が初期通水であると判定される。次いで、ステップＳ５の処理において、本体制御ユニット２６は、通常動作モードから識別コード記憶モードに移行する。
一方で、ステップＳ３の処理において、タンク本体４６の水位変化量が通常使用時におけるタンク本体４６の水位変化量を超えない場合、本体制御ユニット２６はステップＳ２の処理に戻り、処理を再開する。
【００３９】
ステップＳ５において、識別コード記憶モードに移行すると、ステップＳ６に進み、本体制御ユニット２６は、識別コード記憶モードに移行してからの経過時間Ｔをタイマー３０で計測開始する。次いで、ステップＳ７において、本体制御ユニット２６は、経過時間Ｔが本体メモリ２８に記憶された所定時間Ｔ１以上であるか確認し、識別コード記憶モードに移行から所定時間経過したかを確認する。
【００４０】
ステップＳ７の処理において、識別コード記憶モードに移行からの経過時間Ｔが所定時間Ｔ１を越えていない場合、本体制御ユニット２６は、ステップＳ８の処理に進み、リモコン６から送信される識別コードを本体通信ユニット２４が受信したかを確認する。
一方で、ステップＳ７の処理において、識別コード記憶モード移行からの経過時間Ｔが所定時間Ｔ以上である場合、本体制御ユニット２６は、後述するステップＳ１０の処理に進む。
【００４１】
ステップＳ８の処理において、識別コードを受信すると、本体制御ユニット２６は、ステップＳ９の処理に進み、本体メモリ２８に受信した識別コードを記憶させる。次いで、ステップＳ１０の処理に進む。
一方で、ステップＳ８の処理において、識別コードの受信がない場合は、本体制御ユニット２６は、ステップＳ７に戻り処理を再開する。
なお、本実施形態においては、ステップＳ１の時点において、リモコン６は、設定者によって操作スイッチ５４が既に操作され、リモコン６から一定間隔で識別コードが送信されるようになっているものとする。
【００４２】
ステップＳ１０の処理において、本体制御ユニット２６は、識別コード記憶モードを終了させ、通常動作モードに移行する。ステップＳ１０の処理が終了すると、ステップＳ１１の処理に進み、本体制御ユニット２６は、識別コード記憶に関する一連の処理を終了させる。なお、ステップＳ１１の処理が終了すると、一度電源を切った後に再度電源を投入されるまで、ステップＳ１の処理は実行されない。
【００４３】
つぎに、上述した本発明の第１実施形態によるトイレ装置における作用について説明する。
まず、本発明の第１実施形態によるトイレ装置１によれば、洗浄装置本体４に設けられている通水検出手段である水位センサ４８によって洗浄装置本体４の通水流路３８へ初期通水されたことを検出して、識別コード記憶モードを実行することができる。
そのため、洗浄装置本体４に通水して使用されている状態で電源オンオフされても識別コード記憶モードが実行されることがなく、洗浄装置本体４を設置して最初に通水した初期通水時、または、設定者が洗浄装置本体４の内部の洗浄水を排出した後に通水を行うことで意図時に初期通水状態とした時に識別コード記憶モードが実行されるので、設定者が意図しないタイミングで識別コード記憶モードが実行されてしまうことを防ぐことができる。
従って、識別コード記憶モードの実行のために、複雑な操作や入力手段を追加する必要がなく、かつ、識別コードの誤記憶を抑制することができる。
【００４４】
また、本発明の第１実施形態によるトイレ装置１によれば、タンク本体４６の水位変化が通常使用時における所定の水位変化量以上であると初期通水であると判定することにより、通常の使用時に誤って初期通水を検出することがない。
そのため、通常使用時において、識別コードの記憶を目的とせず識別コードが誤記憶されてしまうことを防止できる。
【００４５】
次に、図６及び図７により、本発明の第２実施形態を説明する。図６は、本発明の第２実施形態によるトイレ装置の有するリモコンの機能ブロック図である。図７は、本発明の第２実施形態によるトイレ装置に備えられた本体制御ユニットによる識別コードを記憶する際のフローチャートである。
この第２実施形態において、上述した第１実施形態と同一部分には同一符号を付し、それらの説明は省略する。
【００４６】
図６に示すように、本発明の第２実施形態によるトイレ装置１の洗浄装置本体７０は、発電機７２と、本体制御ユニット７４、本体メモリ７６を備えている。
【００４７】
発電機７２は、給排水ユニット４０の給水流路内に設けられた水車を有し、便器洗浄時において、給排水ユニット４０が動作し、タンク本体４６内への洗浄水の給水が開始されると、給排水ユニット４０の給水流路内を洗浄水が通過する際に水車が回転し発電が行われる。
この発電機７２により発電された電力によって、給排水ユニット４０の電磁弁等を動作させることができる。
また、本実施形態において、発電機７２は通水検出手段であり、発電の有無でタンク本体４６から通水流路３８に通水されたかを検知することができる。
具体的には、発電機７２は、便器洗浄時の給排水ユニット４０の動作に連動して発電を行うので、発電があると通水流路３８における洗浄水の通水ありとなり、発電がないと通水なしとなる。
【００４８】
本体制御ユニット７４は発電機７２及び本体メモリ７６と接続されており、発電機７２からの発電量に基づいて、初期通水を判定し通常動作モードから識別コード記憶モードに移行する。
具体的には、初期通水時には、給排水ユニット４０の給水流路内は、空気で満たされており、タンク本体４６に給水が開始されると、給水流路内を流れる洗浄水に空気が混入するエア噛みが発生する。このエア噛み状態における発電機７２での発電量は、給排水ユニット４０の給水流路内が洗浄水で満たされた状態から給水開始される通常使用時よりも低い発電量となる。
つまり、本体制御ユニット７４は、発電機７２での発電量が通常時より低いエア噛み状態で発電が継続されていると初期通水と判定する。
【００４９】
本体メモリ２８は、本体制御ユニット２６が通常動作モードから識別コード記憶モードに移行した際に、リモコン６から送信された識別コードを記憶することができる。
また、本体メモリ２８には、通常使用時の発電機７２での発電量や識別コード記憶モードで使用する所定時間Ｔ１が記憶されている。なお、所定時間Ｔ１は０分〜２０分に設定されている。
【００５０】
次に、本体制御ユニット７４による識別コードの記憶する際の動作について説明を行う。
【００５１】
図７に示すように、まず、ステップＳ２１において、本体制御ユニット７４の電源が投入されると、通常動作モードで本体制御ユニット７４が動作を開始する。次いで、ステップＳ２２の処理において、本体制御ユニット７４は、通水流路３８への通水を検知するために、発電機７２での発電の有無を確認する。
【００５２】
ステップＳ２２の処理において、発電機７２での発電が確認できない場合、発電を確認するまで、ステップＳ２２の処理を繰り返す。
一方、ステップＳ２２の処理において、発電機７２での発電を確認すると、ステップＳ２３の処理に進み、本体制御ユニット７４は、発電機７２で発電された発電量が本体メモリ７６に記憶された通常使用時の発電量以下で所定時間継続しているかを確認する。
【００５３】
ステップＳ２３の処理において、発電機７２での発電量が通常使用時の発電量以下で所定時間継続していると、本体制御ユニット７４は、ステップＳ２４の処理に進み、初期通水を検出したと判定される。次いで、ステップＳ２５の処理において、本体制御ユニット７４は通常動作モードから識別コード記憶モードに移行する。
一方で、ステップＳ２３の処理において、発電機７２で発電された発電量が通常使用時の発電量以下で所定時間継続していない場合、本体制御ユニット７４はステップＳ２２の処理に戻り、処理を再開する。
【００５４】
ステップＳ２５において、識別コード記憶モードに移行すると、ステップＳ２６に進み、本体制御ユニット７４は、識別コード記憶モードに移行してからの経過時間Ｔを計測開始する。次いで、ステップＳ２７において、本体制御ユニット７４は、経過時間Ｔが本体メモリ７６に記憶された所定時間Ｔ１以上であるか確認し、識別コード記憶モードに移行から所定時間経過したかを確認する。
【００５５】
ステップＳ２７の処理において、識別コード記憶モードに移行からの経過時間Ｔが所定時間Ｔ１を越えていない場合、本体制御ユニット７４は、ステップＳ２８の処理に進み、リモコン６から送信される識別コードを本体通信ユニット２４が受信したかを確認する。
一方で、ステップＳ２７の処理において、識別コード記憶モード移行からの経過時間Ｔが所定時間Ｔ以上である場合、本体制御ユニット７４は、後述するステップＳ３０の処理に進む。
【００５６】
ステップＳ２８の処理において、リモコン６から識別コードを受信すると、本体制御ユニット７４は、ステップＳ２９の処理に進み、本体メモリ７６に識別コードを記憶させる。次いで、ステップＳ３０の処理に進む。
一方で、ステップＳ２８の処理において、識別コードの受信がない場合は、本体制御ユニット７４は、ステップＳ２７に戻り処理を再開する。
なお、本実施形態においては、ステップＳ２１の時点において、リモコン６は、設定者によって操作スイッチ５４が既に操作され、リモコン６から一定間隔で識別コードが送信されるようになっているものとする。
【００５７】
ステップＳ３０の処理において、本体制御ユニット７４は、識別コード記憶モードを終了させ、通常動作モードに移行する。ステップＳ３０の処理が終了すると、ステップＳ３１の処理に進み、本体制御ユニット７４は、識別コード記憶に関する一連の処理を終了させる。なお、ステップＳ３１の処理が終了すると、一度電源を切った後に再度電源を投入されるまで、ステップＳ２１の処理は実行されない。
【００５８】
つぎに、上述した本発明の第２実施形態によるトイレ装置における作用について説明する。
まず、本発明の第２実施形態によるトイレ装置１によれば、発電機７２からの発電量が所定値により小さい期間が一定期間以上継続されている場合、例えば、通常使用時の発電状態とは異なるエア噛み状態で発電が継続されている場合に初期通水であると判定することにより、通常の使用時に誤って初期通水を検出することがない。
そのため、通常使用時において、識別コードの記憶を目的とせず識別コードが誤記憶されてしまうことを防止できる。
【００５９】
以上、本発明の実施の形態について説明した。しかし、本発明はこれらの記述に限定されるものではなく、前述の本実施形態に関して、当業者が適宜設計変更を加えたものも、本発明の特徴を備えている限り、本発明の範囲に包含される。
例えば、本実施形態においては、本体制御ユニット７４がタンク本体４６から通水流路３８を介して便器２に初期通水されたかを判定し、通常動作モードから識別コード記憶モードに移行していたが、本体制御ユニットが局部洗浄タンク３４から通水流路４４を介してノズル４２に洗浄水を初期通水されたかを判定し、通常動作モードから識別コード記憶モードを移行してもよい。
また、本実施形態において、通水検出手段は、タンク本体４６の水位変化を検知する水位検知センサ４８や給排水ユニット４０の給水流路に設けられた発電機７２であり、これらによって間接的に通水流路３８への通水を検出しているが、通水流路３８内に通水検出手段を設け、通水流路３８への通水を検出するようにしてもよい。
また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１      トイレ装置
２      便器
４      洗浄装置本体
６      リモコン
８      ボウル部
１０    便座
１２    便蓋
１４    ケーシング
１６    着脱解除部
１８    機能ユニット
２０    着脱センサ
２２    着座センサ
２２ａ  計測窓
２４    本体通信ユニット２４
２６    本体制御ユニット
２８    本体メモリ
３０    タイマー
３２    局部洗浄ユニット
３４    局部洗浄タンク
３６    便器洗浄タンク
３８    通水流路
４０    給排水ユニット
４２    ノズル
４４    通水流路
４６    タンク本体
４８    水位検知センサ
５０    受信部
５２    送信部
５４    操作スイッチ
５６    リモコンメモリ
５８    リモコン通信ユニット
６０    リモコン制御ユニット
７０    洗浄装置本体
７２    発電機
７４    本体制御ユニット
７６    本体メモリ
【図１】
2018159198.tif 000003
【図２】
2018159198.tif 000004
【図３】
2018159198.tif 000005
【図４】
2018159198.tif 000006
【図５】
2018159198.tif 000007
【図６】
2018159198.tif 000008
【図７】
2018159198.tif 000009